(57)【要約】  【課題】  携帯電話機の本体が落下等の衝撃を受けても、本体内の電子部品や本体にその衝撃を与えるのを防止することができるとともに、通信時以外にも見栄えや娯楽性を向上させることができる携帯電話機を提供すること。  【解決手段】  通信機能を備えた携帯電話機１であって、液晶表示画面が設けられた上側本体２と、操作ボタン群が設けられた下側本体３と、液晶表示画面および操作ボタン群を重ね合わせた状態と開いた状態との間で上側本体２および下側本体３を開閉する回動部材とを備え、上側本体２の液晶表示画面と反対側の面および下側本体３の操作ボタン群と反対の面に衝撃吸収用の人形１０、１１を設ける。【選択図】  図２
2005347834.tif 000002
【特許請求の範囲】
【請求項１】
通信機能を備えた携帯電話機であって、本体に衝撃吸収用の人形が装着されたことを特徴とする携帯電話機。
【請求項２】
前記本体は、表示部が設けられた第１の本体と、操作部が設けられた第２の本体と、前記表示部および操作部を重ね合わせた状態と開いた状態との間で前記第１の本体および第２の本体を開閉する回動部材とを備え、
前記人形は、前記第１の本体の前記表示部と反対側の面および前記第２の本体の前記操作部と反対の面に設けられることを特徴とする請求項１に記載の携帯電話機。
【請求項３】
前記本体は、一方の面に前記表示部および前記操作部を備えた長尺形状を有し、前記人形は前記本体の他方の面に設けられることを特徴とする請求項１に記載の携帯電話機。
【請求項４】
前記人形の内部に重りが設けられることを特徴とする請求項２または請求項３に記載の携帯電話機。
【請求項５】
前記本体を載置面に載置したときに、前記本体が前記載置面に対して略垂直あるいは所定角度傾斜した姿勢を維持するように、前記人形の一部を他の部分よりも外方に突出させ、その突出先端部を前記載置面に当接させることを特徴とする請求項１乃至請求項４の何れかに記載の携帯電話機。
【発明の詳細な説明】
【技術分野】
【０００１】
本発明は、携帯電話機に関し、例えば、携帯電話やＰＨＳ等のように通信機能を有する小型な携帯電話機に関する。
【背景技術】
【０００２】
携帯電話やＰＨＳ等の携帯電話機にあっては、一層の小型、軽量化を図るために本体をプラスチック等の樹脂材料から構成しており、この本体内に通信を行うための精密電子部品が内蔵されている。このため、携帯電話機を誤って床面に落下させたりすると、携帯電話機の本体と床面との衝突によって本体が破損したり、内蔵された精密電子部品が損傷してしまうおそれがある。
【０００３】
このような不具合を解消するものとしては、特許文献１に記載されたようなものがある。特許文献１に記載されたものは、携帯電話機本体の底部に、携帯電話機の落下等により本体に及ぼす衝撃を吸収する衝撃吸収部材を設け、本体に落下等の衝撃を受けても、本体内の電子部品や本体にその衝撃を与えるのを防止して本体の破損や衝撃による動作不良、故障を防止するようにしている。
【特許文献１】特開平１１−５５３７０号公報
【発明の開示】
【発明が解決しようとする課題】
【０００４】
しかしながら、このような従来の携帯電話機にあっては、衝撃吸収部材が携帯電話機本体の底部の形状に沿った形状をしている、すなわち、携帯電話機の形状の一部が衝撃吸収部材となっているため、外観的は興味を引く構成とはなっていない。
【０００５】
近時の携帯電話機にあっては、携帯電話機を通信手段として利用するだけでなく、キャラクタが設けられたストラップを付ける等して通信時以外の携帯時にも見栄えを良くしたり、娯楽性を向上させることを意図して使用するユーザが増加している。特許文献１に示すものは、携帯電話機に衝撃の吸収だけを目的として衝撃吸収部材を設けているので、通信時以外の娯楽性を向上させるには至らない。
【０００６】
本発明は、従来の問題を解決するためになされたもので、携帯電話機の本体が落下等の衝撃を受けても、本体内の電子部品や本体にその衝撃を与えるのを防止することができるとともに、通信時以外にも見栄えや娯楽性を向上させることができる携帯電話機を提供することを目的とする。
【課題を解決するための手段】
【０００７】
本発明の携帯電話機は、通信機能を備えた携帯電話機であって、本体に衝撃吸収用の人形が装着されている。
【０００８】
この構成により、携帯電話機の本体に落下等の衝撃を受けても、本体に設けられた人形が衝撃を吸収するので、本体内の電子部品や本体にその衝撃を与えるのを防止することができる。また、衝撃を吸収するものを人形から構成しているので、アニメや映画等に登場するキャラクタやアイドルのキャラクタを衝撃吸収用の人形として使用すれば、通信時以外にも見栄えや娯楽性を向上させることができる。
【０００９】
また、本発明の携帯電話機は、前記本体は、表示部が設けられた第１の本体と、操作部が設けられた第２の本体と、前記表示部および操作部を重ね合わせた状態と開いた状態との間で前記第１の本体および第２の本体を開閉する回動部材とを備え、前記人形は、前記第１の本体の前記表示部と反対側の面および前記第２の本体の前記操作部と反対の面に設けられる。
【００１０】
この構成により、折り畳み式の携帯電話機の場合には、携帯電話機を折り畳んだときに、第１、第２の本体の外部に衝撃吸収用の人形を設けたので、携帯電話機を使用しないときに、携帯電話機の本体に落下等の衝撃を受けても、本体に設けられた人形が衝撃を吸収することができ、本体内の電子部品や本体にその衝撃を与えるのを防止することができる。
【００１１】
また、本発明の携帯電話機は、前記本体が、一方の面に前記表示部および前記操作部を備えた長尺形状を有し、前記人形は前記本体の他方の面に設けられる。
【００１２】
この構成により、携帯電話機の本体に落下等の衝撃を受けても、本体に設けられた人形が衝撃を吸収するので、本体内の電子部品や本体にその衝撃を与えるのを防止することができる。
【００１３】
また、本発明の携帯電話機は、前記人形の内部に重りが設けられる。
【００１４】
この構成により、ストレートタイプの携帯電話機にあっては、携帯電話機が落下したときに、重りが内蔵された人形側の面を下に向けて落下させることができるので、操作部と表示部が設けられた面が床面等に衝突するのを回避することができる。
【００１５】
また、折り畳み式の携帯電話機の場合には、第１の本体および第２の本体を開放したときに、重りが内蔵された人形側の面を下に向けて落下させることができるので、操作部と表示部が設けられた面が床面等に衝突するのを回避することができる。
【００１６】
また、本発明の携帯電話機は、前記本体を載置面に載置したときに、前記本体が前記載置面に対して略垂直あるいは所定角度傾斜した姿勢を維持するように、前記人形の一部を他の部分よりも外方に突出させ、その突出先端部を前記載置面に当接させるものから構成される。
【００１７】
この構成により、携帯電話機を机上等の載置面に載置したときに、携帯電話機を立てかけることができるので、携帯電話機の表示部をユーザ側に向けて見易くすることができる。また、人形が携帯電話機を立てかけるので娯楽性をより一層向上させることができる。
【発明の効果】
【００１８】
本発明は、携帯電話機の本体に落下等の衝撃を受けても、本体内の電子部品や本体にその衝撃を与えるのを防止することができるとともに、通信時以外にも見栄えや娯楽性を向上させることができる携帯電話機を提供することができる。
【発明を実施するための最良の形態】
【００１９】
以下、本発明の実施の形態について、図面を用いて説明する。
【００２０】
図１乃至図６は本発明に係る携帯電話機の第１の実施の形態を示す図である。
【００２１】
まず、構成を説明する。図１において、携帯電話機１は分割された上側本体（第１の本体）２および下側本体（第２の本体）３を備えており、上側本体２および下側本体３は回動部材４によって連結されている。
【００２２】
回動部材４は上側本体２に設けられた回動軸２ａと、下側本体３に設けられ、回動軸２ａに回動自在に嵌合された嵌合部３ａとから構成されており、上側本体２および下側本体３とを開閉するようにしている。
【００２３】
上側本体２には表示部としての液晶表示画面５が設けられており、この液晶表示画面５には文字データや画像データが表示されるようになっている。また、上側本体２の上部にはスピーカ６が設けられており、このスピーカ６からは通信相手の音声が出力される。
【００２４】
また、下側本体３には携帯電話機１の各種操作を行う操作部としての操作ボタン群７が設けられており、この操作ボタン群７は受信メールや新規作成メールを読み出すためのメールキー７ａ、液晶表示画面５に表示された文字データや画像データをスクロール等するためのコントロールキー７ｂ、電話帳を読み出すための電話帳キー７ｃ、オフフックや各種操作を開始するためのオフフックキー７ｄ、オンフック時や各種操作を終了するためのオンフックキー７ｅおよびテンキー７ｆ等から構成されている。
【００２５】
また、下側本体３の下部にはマイク８が設けられており、このマイク８からユーザの音声が入力されるようになっている。したがって、上側本体２および下側本体３は、回動部材４によって液晶表示画面５および操作ボタン群７を重ね合わせた状態と開いた状態との間で開閉する。
【００２６】
また、図２乃至図５に示すように下側本体３には通信用のアンテナ８が設けられおり、このアンテナ８は下側本体３に対して伸縮自在になっている。また、液晶表示画面５および操作ボタン群７と反対側の上側本体２および下側本体３の面には衝撃吸収用の人形１０、１１が設けられており、この人形１０、１１は接着材等によって半身が上側本体２および下側本体３に固定されている。
【００２７】
また、人形１０、１１はシリコンゴムやウレタンゴム等の弾性部材から構成されている。なお、人形１０、１１の材質としては衝撃吸収用の部材であれば、何でも良い。また、人形１０、１１としては、アニメ、映画等に登場するキャラクタやアイドルのキャラクタから構成しても良く、無名のキャラクタでも良い。さらに、人形１０、１１は接着ではなく、上側本体２および下側本体３と一体成形されたものでも良い。
【００２８】
また、人形１０、１１の内部には重りが内蔵されており、携帯電話機１を開いた状態で通話を行っている場合に、何等かの理由で携帯電話機１が落下してしまった場合には、人形１０、１１側が下に向くようにして床面に落下するようになっている。
【００２９】
本実施の形態では、折り畳み式の携帯電話機１において、上側本体２の液晶表示画面５と反対側の面および下側本体３の操作ボタン群７と反対の面に衝撃吸収用の人形１０、１１を設けたので、何等かの理由により携帯電話機１を落下してしまった場合に、上側本体２および下側本体３に落下等の衝撃を受けても、人形１０、１１が衝撃を吸収するので、上側本体２内および下側本体３内の電子部品や上側本体２および下側本体３にその衝撃を与えるのを防止することができる。
【００３０】
また、衝撃を吸収するものをアニメ、映画等に登場するキャラクタやアイドルのキャラクタからなる人形１０、１１から構成しているので、通信時以外にも見栄えや娯楽性を向上させることができる。
【００３１】
また、本実施の形態では、人形１０、１１の内部には重りを内蔵したので、携帯電話機１を開いた状態で通話を行っている場合に、何等かの理由で携帯電話機１を落下させてしまった場合に、人形１０、１１側を下に向けて落下させることができ、液晶表示画面５および操作ボタン群７が設けられた面が床面等に衝突するのを回避することができる。
【００３２】
なお、本実施の形態では、半身の人形１０、１１を上側本体２および下側本体３に設けているが、図６に示すように、一方の人形１０の足（一部）１０ａを人形１０の上半身（他の部分）１０ｂよりも突出させ、携帯電話機１を机２１の載置面２１ａに載置したときに、携帯電話機１が載置面２１ａに対して略垂直あるいは所定角度傾斜した姿勢を維持するように、人形１０の足１０ａを載置面２１ａに当接させるようにしても良い。
【００３３】
このようにすれば、携帯電話機１を机２１の載置面２１ａに載置したときに、携帯電話機１を人形１０の足１０ａによって立てかけることができるので、液晶表示画面５をユーザ側に向けて見易くすることができる。また、人形１０が携帯電話機１を立てかけるので娯楽性をより一層向上させることができる。なお、人形１０の一部は足１０ａではなく、手や人形１０の着ている洋服等でも良い。
【００３４】
図７は本発明に係る携帯電話機の第２の実施の形態を示す図であり、本実施の形態はストレートタイプの携帯電話機を例にしている。
【００３５】
図７において、携帯電話機３０は長尺形状の本体３１を有しており、この本体３１の一方の面には  表示部としての液晶表示画面３２、操作部としての操作ボタン群３３、スピーカ３４およびマイク３５が設けられている。
【００３６】
液晶表示画面３２には文字データや画像データが表示されるようになっており、この操作ボタン群３３は受信メールや新規作成メールを読み出すためのメールキー３３ａ、液晶表示画面５に表示された文字データや画像データをスクロール等するためのコントロールキー３３ｂ、電話帳を読み出すための電話帳キー３３ｃ、オフフックや各種操作を開始するためのオフフックキー３３ｄ、オンフック時や各種操作を終了するためのオンフックキー３３ｅおよびテンキー３３ｆ等から構成されている。また、マイク３５は操作ボタン群３３の下部に設けられており、スピーカ３４は液晶表示画面３２の上部に設けられている。
【００３７】
また、本体３１の背面には衝撃吸収用の人形３６が設けられており、この人形３６は接着材等によって半身が本体３１に固定されている。人形３６はシリコンゴムやウレタンゴム等の弾性部材から構成されている。なお、人形３６の材質としては衝撃吸収用の部材であれば、何でも良い。また、人形３６としては、アニメ、映画等に登場するキャラクタやアイドルのキャラクタから構成しても良く、無名のキャラクタでも良い。さらに、人形３６は接着ではなく、本体３１と一体成形されたものでも良い。また、この人形３６の内部には重りが設けられている。
【００３８】
本実施の形態にあっても、携帯電話機３０の本体３１に落下等の衝撃を受けても、本体３１に設けられた人形３６が衝撃を吸収するので、本体３１内の電子部品や本体３１にその衝撃を与えるのを防止することができる。
【００３９】
また、本実施の形態では、人形３６の内部に重りを設けたので、携帯電話機３０が落下したときに、重りが内蔵された人形３６側の面を下に向けて落下させることができ、液晶表示画面３２および操作ボタン群３３が床面等に衝突するのを回避することができる。
【００４０】
なお、本実施の形態でも図６に示すものと同様に人形３６の足を伸ばして携帯電話機３０を載置面に立てかけるようにしても良い。
【産業上の利用可能性】
【００４１】
以上のように、本発明に係る携帯電話機は、携帯電話機の本体が落下等の衝撃を受けても、本体内の電子部品や本体にその衝撃を与えるのを防止することができるとともに、通信時以外にも見栄えや娯楽性を向上させることができるという効果を有し、携帯電話やＰＨＳ等のように通信機能を有する小型な携帯電話機等として有用である。
【図面の簡単な説明】
【００４２】
【図１】本発明の第１の実施の形態に係る携帯電話機を開放した状態を示す正面図である。
【図２】第１の実施の形態の携帯電話機を開放した状態を示す背面図である。
【図３】図２の携帯電話機を逆さにした状態を示す図である。
【図４】第１の実施の形態の携帯電話機を閉じた状態を示す側面図である。
【図５】第１の実施の形態の携帯電話機を開放した状態を示す側面図である。
【図６】第１の実施の形態の人形の一部によって携帯電話機を立てかけた状態を示す図である。
【図７】本発明の第２の実施の形態に係る携帯電話機を示す図であり、（ａ）はその正面図、（ｂ）はその背面図である。
【符号の説明】
【００４３】
１、３０  携帯電話機
２  上側本体（第１の本体）
３  下側本体（第２の本体）
４  回動部材
５、３２  液晶表示画面（表示部）
７、３３  操作ボタン群（操作部）
１０、１１、３６  人形
１０ａ  足（一部）
１０ｂ  上半身（他の部分）
２１ａ  載置面
３１  本体
【図２】
2005347834.tif 000003
【図３】
2005347834.tif 000004
【図４】
2005347834.tif 000005
【図５】
2005347834.tif 000006
【図６】
2005347834.tif 000007
【図７】
2005347834.tif 000008
【図１】
2005347834.tif 000009